(57)【特許請求の範囲】
【請求項１】
軒天板の側縁部が挿入される収容部及び建物外壁に対面する背面部を有した見切り部材の前記背面部と建物外壁との間に未膨張状態の熱膨張性耐火材を、前記見切り部材と建物外壁との間が通気路とならないように、密着状態に介在させたことを特徴とする軒天部防耐火構造。
【請求項２】
請求項１に記載の軒天部防耐火構造において、見切り部材には、外気を軒裏に導く通気路を構成する通気用開口が形成されていることを特徴とする軒天部防耐火構造。
【請求項３】
請求項１又は請求項２に記載の軒天部防耐火構造において、見切り部材の背面部には、熱により膨張する熱膨張性耐火材を前記背面部の内側空間内に導くための耐火材導入用開口が形成されていることを特徴とする軒天部防耐火構造。
【請求項４】
請求項１乃至請求項３のいずれかに記載の軒天部防耐火構造において、軒天板の側縁部の小口面と見切り部材における背面部の内側面とが対面するように構成されており、前記収容部に挿入される軒天板の前記小口面に未膨張状態の熱膨張性耐火材を設けたことを特徴とする軒天部防耐火構造。
【請求項５】
軒天板の側縁部が挿入される収容部と、建物外壁に対面する背面部と、前記背面部に形成された耐火材導入用開口と、を有し、前記背面部の外側面に未膨張状態の熱膨張性耐火材を前記耐火材導入用開口の箇所において前記収容部内に露呈し且つ前記建物外壁との間が通気路とならないように設けたことを特徴とする見切り部材。
【請求項６】
軒天板の側縁部が挿入される収容部と、建物外壁に対面する背面部と、外気を軒裏に導く通気路を構成する通気用開口と、前記背面部に形成された耐火材導入用開口と、を有し、前記背面部の外側面に未膨張状態の熱膨張性耐火材を前記耐火材導入用開口の箇所において前記収容部内に露呈し且つ前記建物外壁との間が通気路とならないように設けたことを特徴とする見切り部材。
【発明の詳細な説明】
【０００１】
【産業上の利用分野】
この発明は、建屋軒天部の耐火性能を向上させる軒天部防耐火構造及び見切り部材に関する。
【０００２】
【従来の技術】
図７（ａ）は従来の軒天部の構造を示した断面図である。断面略コ字形状を有する鋼製或いはアルミニウム製等の軒天ランナー（見切り部材）５１の背面部が建物の外壁５２にビス等によって留め付けられている。そして、軒天ランナー５１の収容部５１ａに軒天板５３の側縁部が差し込まれている。軒天板支持ランナー５１には、通気用開口５１ｂが形成されており、収容部５１ａを通気路として外気を軒裏に導くようになっている。また、軒天板支持ランナー５１の背面部の内側面には熱膨張性耐火材５４が設けられており、火災発生時の熱によって熱膨張性耐火材５４が膨張して通気路を遮蔽するようになっている。
【０００３】
【発明が解決しようとする課題】
しかしながら、上記従来の軒天部構造では火災発生時に以下の不具合を招来するおそれがある。すなわち、図７（ｂ）に示しているように、火災の熱によって軒天ランナー５１が熱変形したり或いは融解する可能性があり、この場合、軒天ランナー５１と外壁との間に隙間が生じることになる。このような隙間が生じた場合、この隙間を通って軒裏内部に熱気が侵入するため、たとえ軒天板支持ランナー５１の通気路を遮蔽できたとしても、軒裏内部の温度が上昇してしまうおそれがある。
【０００４】
この発明は、上記の事情に鑑み、見切り部材（軒天ランナー）が火災時の熱で変形等したとしても軒裏内部への熱気の侵入を防止することができる軒天部防耐火構造及び見切り部材を提供することを目的とする。
【０００５】
【課題を解決するための手段】
この発明の軒天部防耐火構造は、軒天板の側縁部が挿入される収容部及び建物外壁に対面する背面部を有した見切り部材の前記背面部と建物外壁との間に未膨張状態の熱膨張性耐火材を密着状態に介在させたことを特徴とする。
【０００６】
上記の構成であれば、火災時の熱によって熱膨張性耐火材が見切り部材の背面部と建物外壁との間において膨張（発泡）するため、見切り部材が火災時の熱で変形等したとしても、熱膨張した耐火材の存在によって見切り部材と建物外壁との間には隙間は生じないことになり、軒裏内部への熱気の侵入を防止することができる。また、通常時においては、未膨張状態の熱膨張性耐火材が見切り部材の背面部と建物外壁との間に介在していることにより、見切り部材と建物外壁との取り合い箇所での防水性を向上させることができる。
【０００７】
見切り部材には、外気を軒裏に導く通気路を構成する通気用開口が形成されているのがよい。かかる構成であれば、見切り部材に形成された通気用開口によって外気が軒裏に導かれるので軒裏換気が行えることになる。なお、火災時においては、上記通気路が遮蔽されることが望ましく、この遮蔽のための構造として、例えば通気路内に熱膨張性耐火材や火災時の熱で作動するダンパーなどを設置しておくことが考えられる。
【０００８】
見切り部材の背面部には、熱により膨張する熱膨張性耐火材を前記背面部の内側空間内に導くための耐火材導入用開口が形成されているのがよい。かかる構成であれば、火災時においては、見切り部材の背面部と建物外壁との間に設けてある熱膨張性耐火材によって当該間の隙間発生を防止すると同時に、前記背面部に形成した耐火材導入用開口を通って膨張した耐火材が前記背面部の内側空間内に導かれ、この背面部の内側空間が通気路を成す場合には、この通気路を遮蔽したり或いは通気路を狭小化することができる。また、背面部の内側空間が通気路を成さない場合でも、見切り部材の変形による隙間発生に基づく不所望な通気路発生に対してその遮蔽を図ることができる。
【０００９】
軒天板の側縁部の小口面と見切り部材における背面部の内側面とが対面するように構成されており、前記収容部に挿入される軒天板の前記小口面に未膨張状態の熱膨張性耐火材を設けることとしてもよい。見切り部材が通気路を成さない構成であっても、見切り部材が熱変形等したときに軒天板との間に隙間が発生することがあり、かかる隙間に基づく不所望な通気路発生に対する遮蔽を上記小口面に設けた熱膨張性耐火材にて行うことができる。また、見切り部材が通気路を成す構成においては、上記小口面に設けた熱膨張性耐火材にて通気路遮蔽を図ることができ、また、耐火材導入用開口を通って膨張した耐火材が背面部の内側空間内に導入される構成においても、上記小口面に設けた熱膨張性耐火材にて上記内側空間の遮蔽の確実性を高めることができる。そして、熱膨張性耐火材は軒天板の側縁部の小口面に設けており、この軒天板の厚み方向側での形状変化はないから、収容部への軒天板の差し込みに何ら支障はなく、見切り部材として特別形状のものを設計する必要もない。
【００１０】
また、この発明の見切り部材は、軒天板の側縁部が挿入される収容部と、建物外壁に対面する背面部と、前記背面部に形成された耐火材導入用開口と、を有していることを特徴とする。また、この発明の見切り部材は、建物外壁に対面する背面部と、外気を軒裏に導く通気路を構成するための通気用開口と、前記背面部に形成された耐火材導入用開口と、を有していることを特徴とする。また、これら見切り部材において、前記背面部の外側面に未膨張状態の熱膨張性耐火材を予め設けたかたちで提供することとしてもよい。
【００１１】
【発明の実施の形態】
以下、この発明の実施形態の軒天部防耐火構造及び軒天ランナー（見切り部材）を図１乃至図６に基づいて説明する。
【００１２】
図１はこの実施形態の軒天部防耐火構造を示した断面図である。不燃性材料から成る建物外壁１に鋼製或いはアルミニウム製等の軒天ランナー２がビスによって留め付けられている。軒天ランナー２は断面略コ字形状を成しており、軒天板３の側縁部が挿入されることになる収容部２ａ及び建物外壁１に対面する背面部を有している。軒天板３は例えばけい酸カルシウム板等から成り、一方の側縁部は軒天ランナー２の収容部２ａ内に差し込まれ、この軒天ランナー２の近傍に位置する野縁８の下面にビスによって固定されており、他方の側縁部は破風下地桟４の下面にビスによって固定されている。なお、破風下地桟４には鼻隠し５が取り付けられており、この鼻隠し５には樋６が固定されている。
【００１３】
軒天ランナー２と建物外壁１との間には、未膨張状態の熱膨張性耐火材７が密着状態に設けられている。すなわち、これら軒天ランナー２と建物外壁１との間を軒天裏換気用の通気路としているわけではない。熱膨張性耐火材７は、例えば２００℃前後で数十倍に膨張（発泡）する不燃性材料であるのが望ましく、例えば、ブチルゴムを主体とするゴム系材料、リン酸アンモニュウム等のリン化合物を含有する材料、或いはグラファイト系材料などを用いることができるが、これらに限定されるものではない。また、熱膨張性耐火材７を不定形材（液状等）の塗布によって得ることもできるが、この実施形態では、片面に粘着面を有するテープ状のものを用い、熱膨張性耐火材７の装着作業性を良好にしている。
【００１４】
図２（ａ）は図１の要部を拡大した断面図であり、通常時（非火災時）を示している。この通常時においては、未膨張状態の熱膨張性耐火材７が軒天ランナー２の背面部と建物外壁１との間に密着状態に介在していることにより、軒天ランナー２と建物外壁１との取り合い箇所での防水が図られている。一方、火災時においては、図２（ｂ）に示すように、火災時の熱によって熱膨張性耐火材７が軒天ランナー２の背面部と建物外壁１との間において膨張するため、軒天ランナー２が火災時の熱で変形等したとしても、熱膨張した上記耐火材７の存在によって軒天ランナー２と建物外壁１との間には隙間は生じないことになり、軒裏内部への熱気の侵入を防止することができる。
【００１５】
図３は軒天部防耐火構造の変形例を示した断面図であり、同図（ａ）は通常時を示し、同図（ｂ）は火災時の様子を示している。軒天ランナー２１は断面略コ字形状を成し、軒天板３の側縁部が挿入される収容部２１ａと、建物外壁１に対面する背面部と、外気を軒裏に導く通気路を構成する複数の通気用開口２１ｂとを有している。通気用開口２１ｂは、軒天ランナー２１の下面部及び上面部に各々形成されており、収容部２１ａを通気路として外気を軒裏に導くようになっている。軒天ランナー２１と建物外壁１との間には、未膨張状態の熱膨張性耐火材７を密着状態に設けてある。そして、前記軒天板３の側縁部の小口面３ａは、軒天板支持ランナー２１の背面部の内側面に離間して対面しており、当該小口面３ａには未膨張状態の熱膨張性耐火材７Ａが設けられている。
【００１６】
かかる構成であれば、軒天ランナー２１に形成された通気用開口２１ｂによって外気が軒裏に導かれるので軒裏換気が行われる。火災時においては、上記通気路が遮蔽されることが望ましく、このために、例えば火災時の熱で作動するダンパーなどを設置しておくことも考えられるが、図３に示す例では、軒天板３の側縁部の小口面３ａに設けた熱膨張性耐火材７Ａによって火災時の通気路遮蔽が実現されることになる。また、この熱膨張性耐火材７Ａは小口面３ａに設けられているため、軒天板３の厚み方向側での形状変化は生じず、収容部２１ａへの軒天板３の差し込みに何ら支障はなく、軒天ランナー２１として特別形状のものを設計する必要もない。また、かかる構成は、軒天ランナー２１自体の内壁面には熱膨張性耐火材を設けない構成であるから、軒天ランナー２１自体の内壁面に熱膨張性耐火材を設ける構成に比べ、熱膨張性耐火材の装着が容易であるという利点がある。
【００１７】
図４は軒天部防耐火構造の他の変形例を示した断面図であり、同図（ａ）は通常時を示し、同図（ｂ）は火災時の様子を示している。また、図５は図４の軒天部防耐火構造に用いた軒天ランナー２２を示した斜視図である。軒天ランナー２２は断面略コ字形状を成し、軒天板３の側縁部が挿入される収容部２２ａと、建物外壁１に対面する背面部と、外気を軒裏に導く通気路を構成する複数の通気用開口２２ｂと、複数の耐火材導入用開口２２ｃとを有している。通気用開口２２ｂは軒天ランナー２２の下面部及び上面部に各々形成されており、耐火材導入用開口２２ｃは前記背面部に形成されている。また、背面部には、軒天ランナー２２を建物外壁１に留め付けるためのビスが挿通される挿通穴２２ｄが形成されている。軒天ランナー２２の背面部の外側面には、未膨張状態の熱膨張性耐火材７が設けられており、この熱膨張性耐火材７は前記耐火材導入用開口２２ｃの箇所において収容部２２ａ内に露呈することになる。
【００１８】
かかる構成であれば、軒天ランナー２２の通気用開口２２ａにて外気を軒裏に導いて軒裏換気が行えることに加え、火災時においては、軒天ランナー２２の背面部と建物外壁１との間に設けられている熱膨張性耐火材７によって当該間の隙間発生を防止すると同時に、前記耐火材導入用開口２２ｃを通って膨張した耐火材７が通気路内に導かれ、この通気路を遮蔽したり通気路を狭小化することができる。すなわち、軒天ランナー２２の熱変形等による隙間発生防止と軒天ランナー２２の通気路遮蔽（或いは狭小化）を一箇所に設けた熱膨張性耐火材７によって実現することができる。なお、かかる構成において、軒天板３の小口面３ａにも熱膨張性耐火材７Ａを設けておけば、通気路遮蔽の確実性を高めることができる。かかる構成は、軒天ランナー２２自体の内壁面には熱膨張性耐火材を設けない構成となるから、軒天ランナー２２自体の内壁面に熱膨張性耐火材を設ける構成に比べ、熱膨張性耐火材の装着が容易であるという利点がある。
【００１９】
図６は軒天部防耐火構造の他の変形例を示した断面図である。軒天ランナー２３は、野縁８に係止されるとともに建物外壁１にビス等によって固定されている。軒天ランナー２３は、軒天板３の側縁部が挿入される収容部２３ａと、建物外壁１に対面する背面部と、外気を軒裏に導く通気路を構成する通気用開口２３ｂとを有しており、上記背面部のうち軒天板３の小口面３ａと対面する箇所は建物外壁１から離間することで当該小口面３ａと背面部との間隔を幾分狭くしてある。軒天ランナー２３の背面部の背面には、未膨張状態の熱膨張性耐火材７が設けられている。また、軒天板３の小口面３ａには未膨張状態の熱膨張性耐火材７が設けられている。
【００２０】
【発明の効果】
以上説明したように、この発明によれば、見切り部材（軒天ランナー）が火災時の熱で変形等したとしても軒裏内部への熱気の侵入を防止することができるという効果を奏する。
【図面の簡単な説明】
【図１】この発明の実施形態の軒天部防耐火構造の断面図である。
【図２】図１の要部を示した断面図であって、同図（ａ）は通常時の図であり、同図（ｂ）は火災時の様子を示した図である。
【図３】この発明の実施形態の軒天部防耐火構造の変形例を示した断面図であって、同図（ａ）は通常時の図であり、同図（ｂ）は火災時の様子を示した図である。
【図４】この発明の実施形態の軒天部防耐火構造の他の変形例を示した断面図であって、同図（ａ）は通常時の図であり、同図（ｂ）は火災時の様子を示した図である。
【図５】図４の軒天部防耐火構造で用いた軒天ランナーの斜視図である。
【図６】この発明の実施形態の軒天部防耐火構造の他の変形例を示した断面図である。
【図７】従来の軒天部構造を示した断面図である。
【符号の説明】
１    建物外壁
２    軒天ランナー（見切り部材）
２ａ  収容部
２１  軒天ランナー（見切り部材）
２１ａ収容部
２１ｂ通気用開口
２２  軒天ランナー（見切り部材）
２２ａ収容部
２２ｂ通気用開口
２２ｃ耐火材導入用開口
２３  軒天ランナー（見切り部材）
２３ａ収容部
２３ｂ通気用開口
３    軒天板
３ａ  小口面
７    熱膨張性耐火材
７Ａ  熱膨張性耐火材
【図１】
0004545969.tif 000002
【図２】
0004545969.tif 000003
【図３】
0004545969.tif 000004
【図４】
0004545969.tif 000005
【図５】
0004545969.tif 000006
【図６】
0004545969.tif 000007
【図７】
0004545969.tif 000008